(57)【要約】  【課題】親テーブルと子テーブルを、簡易な操作で任意の位置においてロックすることができる伸縮テーブルを提供すること。  【解決手段】天板１１と、天板１１から下方へ延びる脚部１１を備える親テーブル１と、親テーブル１の天板１１より小さな子天板２１と、子天板２１から下方に延びる親テーブル１の脚部より短い子脚部２２を備え、且つ親テーブル１の長手方向にスライド自在に嵌合する子テーブル２からなり、親テーブル１と子テーブル２の任意の嵌合位置におけるロック及び該ロックの解除を、子テーブル２に配置された引手の操作で行う伸縮テーブル。【選択図】        図２
2006346361.tif 000002
【特許請求の範囲】
【請求項１】
天板と、該天板から下方へ延びる脚部を備える親テーブルと、該親テーブルの天板より小さな子天板と、該子天板から下方に延びる該親テーブルの脚部より短い子脚部を備え、且つ該親テーブルの長手方向にスライド自在に嵌合する子テーブルからなり、該親テーブルと該子テーブルの任意の嵌合位置におけるロック及び該ロックの解除を、該子テーブルに配置された引手の操作で行うことを特徴とする伸縮テーブル。
【請求項２】
前記ロック及び該ロックを解除する手段が、引手の操作により該テーブルの長手方向に操作桿を前進又は後退させるか、回転させる操作手段と、該操作桿の後退、前進又は回転に連動して上昇する浮動体を該親テーブルと該子テーブルの間に介在させてロックし、該操作桿の前進、後退又は回転に連動して下降する該浮動体を該親テーブルと該子テーブル間から外して該ロックを解除する係合手段とを有することを特徴とする請求項１記載の伸縮テーブル。
【請求項３】
前記操作手段が、該子テーブルの裏面に該子テーブルに対して前後方向に移動自在に配設されるものであって、該子テーブルの前部側に設置される引手と、該子テーブルの後部側に設置される上端面にスロープを付けた変形縦板と、該引手と該変形縦板を接続する操作桿であることを特徴とする請求項２記載の伸縮テーブル。
【請求項４】
前記操作手段が、該子テーブルの裏面に該子テーブルに対して回転自在に配設されるものであって、該子テーブルの前部側に設置される引手ハンドルと、該子テーブルの後部側に設置されるカム部材と、該引手ハンドルと該カム部材を接続する操作桿であることを特徴とする請求項２記載の伸縮テーブル。
【請求項５】
前記係合手段が、該子テーブルの後部側に配設される子ロック穴を有する子ロックプレートと、親テーブルの天板の裏面で該テーブルの長手方向に所定のピッチで配される複数個の親ロック穴を有する親ロックプレートと、前記操作桿の後部側に立設する変形縦板の上端面に載置される浮動体とを備えることを特徴とする請求項２記載の伸縮テーブル。
【請求項６】
前記係合手段が、該子テーブルの後部側に配設される子ロック穴を有する子ロックプレートと、親テーブルの天板の裏面で該テーブルの長手方向に所定のピッチで配される複数個の親ロック穴を有する親ロックプレートと、前記操作桿の後部側に付設されるカム部材の上端面に載置される浮動体とを備えることを特徴とする請求項２記載の伸縮テーブル。
【請求項７】
前記浮動体が、浮動球又は浮動円筒であることを特徴とする請求項２記載の伸縮テーブル。
【請求項８】
該親テーブルと該子テーブルの任意の嵌合位置が、少なくとも縮小位置及び使用最大伸長位置であることを特徴とする請求項１又は２記載の伸縮テーブル。
【発明の詳細な説明】
【技術分野】
【０００１】
本発明は、オフィス、学校、一般家庭内において使用される、親テーブルと子テーブルを任意の位置でロックすることができる伸縮テーブルに関する。
【背景技術】
【０００２】
テーブルにはオフィス等で使用する片袖タイプ、両袖タイプのスチールテーブル、大会議室で使用する折り畳み自在の長手方向に長い天板を備えるテーブル、あるいは天板と該天板の裏面４隅から下方へ延びる４つの脚部を備えるシンプル構造のテーブルなど種々のものがある。
【０００３】
近年、伸縮テーブルが、別途の保管場所を必要とせず、１つのテーブルで小さく使え、時には長手方向に広く使えることなど便利であり、種々の機構のものが提案されている(実開平６−３３５２４号公報、実用新案登録第３１０８９８３号公報、実開平６−５２５６２号公報）。
【特許文献１】実開平６−３３５２４号公報
【特許文献２】実用新案登録第３１０８９８３号公報
【特許文献３】実開平６−５２５６２号公報
【発明の開示】
【発明が解決しようとする課題】
【０００４】
しかしながら、従来の伸縮型テーブルには親テーブルと子テーブルをロックするロック機構が装填されていない。このため、不意の衝撃などにより、子テーブルが飛び出すことがあった。また、収納状態において、親子のテーブルがロックされていないと、子テーブルを引き出す際、思わぬ事故を招来することもあった。
【０００５】
従って、本発明の目的は、親テーブルと子テーブルを、簡易な操作で任意の位置においてロックすることができる伸縮テーブルを提供することにある。
【課題を解決するための手段】
【０００６】
かかる実情において、本発明者は鋭意検討を行った結果、親テーブルと子テーブルの任意の嵌合位置におけるロック及び該ロックの解除を、該子テーブルに配置された引手の操作で行えば、親テーブルと子テーブルを簡易な操作で任意の位置においてロックすることができることなどを見出し、本発明を完成するに至った。
【０００７】
すなわち、本発明は、天板と、該天板から下方へ延びる脚部を備える親テーブルと、該親テーブルの天板より小さな子天板と、該子天板から下方に延びる該親テーブルの脚部より短い子脚部を備え、且つ該親テーブルの長手方向にスライド自在に嵌合する子テーブルからなり、該親テーブルと該子テーブルの任意の嵌合位置におけるロック及び該ロックの解除を、該子テーブルに配置された引手の操作で行う伸縮テーブルを提供するものである。
【０００８】
また、本発明は、前記ロック及び該ロックを解除する手段が、引手の操作により該テーブルの長手方向に操作桿を前進又は後退させる操作手段と、該操作桿の後退又は前進に連動して上昇する浮動体を該親テーブルと該子テーブルの間に介在させてロックし、該操作桿の前進又は後退に連動して下降する該浮動体を該親テーブルと該子テーブル間から外して該ロックを解除する係合手段とを有する前記伸縮テーブルを提供するものである。
【０００９】
また、本発明は、前記操作手段が、該子テーブルの裏面に該子テーブルに対して前後方向に移動自在に配設されるものであって、該子テーブルの前部側に設置される引手と、該子テーブルの後部側に設置される上端面にスロープを付けた変形縦板と、該引手と該変形縦板を接続する操作桿である前記伸縮テーブルを提供するものである。
【００１０】
また、本発明は、前記操作手段が、該子テーブルの裏面に該子テーブルに対して回転自在に配設されるものであって、該子テーブルの前部側に設置される引手ハンドルと、該子テーブルの後部側に設置されるカム部材と、該引手ハンドルと該カム部材を接続する操作桿である前記伸縮テーブルを提供するものである。
【００１１】
また、本発明は、前記係合手段が、該子テーブルの後部側に配設される子ロック穴を有する子ロックプレートと、親テーブルの天板の裏面で該テーブルの長手方向に所定のピッチで配される複数個の親ロック穴を有する親ロックプレートと、前記操作桿の後部側に立設する変形縦板の上端面に載置される浮動体とを備える前記伸縮テーブルを提供するものである。
【００１２】
また、本発明は、前記係合手段が、該子テーブルの後部側に配設される子ロック穴を有する子ロックプレートと、親テーブルの天板の裏面で該テーブルの長手方向に所定のピッチで配される複数個の親ロック穴を有する親ロックプレートと、前記操作桿の後部側に付設されるカム部材の上端面に載置される浮動体とを備える前記伸縮テーブルを提供するものである。
【００１３】
また、本発明は、前記浮動体が、浮動球又は浮動円筒である前記伸縮テーブルを提供するものであり、また、本発明は、該親テーブルと該子テーブルの任意の嵌合位置が、少なくとも縮小位置及び使用最大伸長位置である前記伸縮テーブルを提供するものである。
【発明の効果】
【００１４】
本発明によれば、親テーブルと子テーブルを簡易な操作で任意の位置においてロックすることができる。また、任意の位置を、少なくとも収納位置及び使用最大伸長位置とすれば、不意の衝撃などにより、子テーブルが飛び出すことはなく、収納状態において、子テーブルを引き出す際の思わぬ事故も回避できる。
【発明を実施するための最良の形態】
【００１５】
本発明の第１の実施の形態における伸縮テーブルを図１〜図１２を参照して説明する。図１は本実施の形態における伸縮テーブルの縮小状態における斜視図、図２は図１の伸縮テーブルの伸長状態における斜視図、図３は図１を裏から見た斜視図、図４は図３において引手を前進させた状態の図、図５は伸長状態の伸縮テーブルを裏から見た図、図６は浮動球がロック位置にある状態を示す図、図７は図６の一部を破断して示す図、図８は浮動球がロック解除位置にある状態を示す図、図９は縮小状態にある親ロックプレートと子ロックプレートの位置関係を示す図、図１０は使用最大伸長状態にある親ロックプレートと子ロックプレートの位置関係を示す図、図１１は浮動球がロック解除位置にある状態の断面図、図１２は浮動球がロック位置にある状態の断面図をそれぞれ示す。また、本明細書において、子テーブルが伸縮する方向（長手方向とも言う）において、子テーブルが引き出される方向（図２中、矢印Ｙ方向）が「前」、押し戻される（後退する）方向が「後」である。
【００１６】
伸縮テーブル１０は、矩形状の天板１１と、天板１１の裏面４隅から下方に延びる４つの脚部１２とを備える親テーブル１と、親テーブル１の天板１１より小さな矩形状の子天板２１と、子天板２１から下方に延びる、親テーブル１の４つの脚部１２より短い２つの子脚部２２とを備え、親テーブル１の長手方向にスライド自在に嵌合する子テーブル２からなり、図１に示す縮小位置において、子テーブル２は親テーブル１の中に収容される。子脚部２２にはキャスター２９が付設されている。
【００１７】
また、親テーブル１の天板１１の裏面の４つの縁部には、脚部間に差し渡しで補強用の桟部材１３ａ、１３ｂ、１３ｃが付設されている。このうち、子テーブル２が出没する側の桟部材１３ａは、子テーブル２の天板２１と桟部材２３ａ、２３ｂが出入りする空間を空けて付設されている。親テーブル１の天板１１の裏面中央の後部を除く、前方位置には親ロックプレート４１が固設され、左右両側の桟部材１３ｂには任意の構成要素であるガイド溝１５及び前部脚部内側には任意の構成要素であるガイドローラー１３５が付設されている。親ロックプレート４１は係合手段の一要素であり、前後方向に所定のピッチで親ロック穴４５を複数有している。親ロックプレート４１の最後尾の親ロック穴４５は縮小位置を決定し、最前側の親ロック穴４５は使用最大伸長位置を決定する。親ロック穴４５は浮動球４２の径よりやや大きくして、不動球４２の出没を容易にすると共に、親テーブル１と子テーブル２の安定なロック状態を付与する。浮動球はこれに限定されず、浮動円筒などであってもよい。この場合、親ロック穴４５及び子ロック穴４３の穴形状は、当該浮動体の形状に合わせて決定される。
【００１８】
子テーブル２の子天板２１の裏面の後方を除く、３つの縁部には、脚部間に差し渡しで補強用の桟部材２３ａ、２３ｂが付設されている。前部の桟部材２３ａは幅広の部材とし、中央には引手３３を収容すると共に、引手３３の前後移動距離を確保した空間８１を設けている。また、子テーブル２の後方裏面には、左右の桟部材２３ｂに差し渡しで、第１後方横部材８ａ、及びそれより所定寸法後方へ離間して第２後方横部材８ｂを有する。第１後方横部材８ａ及び第２後方横部材８ｂは、操作棒（操作桿）３２を後方側で遊嵌状態に支持すると共に、係合手段４を支持するものである。子テーブル２の左右の桟部材２３ｂには、親テーブル１のガイド溝１５にガイドされる突起部（不図示）が付設されている。なお、本例では天板２１は、２つの子脚部２２と桟部材２３ａ、２３ｂで形成される基台に載置された形態を採るが、これに限定されず、天板２１、子脚部２２及び桟部材２３ａ、２３ｂは一体物であってもよい。本発明において、操作桿としては、操作棒以外に、操作ワイヤー、操作紐等、操作可能な手段であれば使用できる。
【００１９】
伸縮テーブル１０において、親テーブル１及び子テーブル２を任意の嵌合位置でロックしたり、そのロックを解除する手段は、引手３３の操作によりテーブルの長手方向に操作棒３２を前進又は後退させる操作手段３と、操作棒３２の後退又は前進（本例では後退）に連動して上昇する浮動球４２を親ロックプレート４１の親ロック穴４５と子ロックプレート２１の子ロック穴４６間に介在させてロックし、操作棒３２の前進又は後退（本例では前進）に連動して下降する浮動球４２を親ロックプレート４１の親ロック穴４５と子ロックプレート２１の子ロック穴４６間から外して該ロックを解除する係合手段４とからなる。
【００２０】
操作手段３は、子テーブル２の裏面に子テーブル２に対して前後方向に移動自在に配設されるものであって、子テーブル２の前部側に設置される引手３３と、子テーブル２の後部側に設置される上端面にスロープ３１１を付けた変形縦板３１と、引手３３と変形縦板３１を接続し、前方桟部材２３ａ、第１後方横部材８ａ及び第２後方横部材８ｂを貫通する操作棒３２からなる。引手３３、操作棒３２及び変形縦板３１は一体化されており、且つ第１後方横部材８ａと変形縦板３１間に介在する付勢バネ３２１により、全体が後方へ付勢されている（ロック状態）と共に、引手３３をバネ付勢に抗して引くことで所定寸法（変形縦板３１の長さ）分、前方に引くことができる（ロック解除状態）。変形縦板３１は矩形状の板状物の上方が後方下りのスロープ断面となるように加工されたものであり、スロープの上下差は浮動球４２の半径よりやや大きくしている。なお、引手３３は本例では前方の桟部材２３ａ内の空間８１に収容され、操作する者あるいはテーブルを使用する者からは見えない位置にあるが、これに限定されず、子テーブル２内において適宜決定される。
【００２１】
係合手段４は、図６〜図１２に示すように、子テーブル２の第１後方横部材８ａ及び第２後方横部材８ｂ間の中央に差し渡しで配設される子ロック穴４６を有する子ロックプレート４３と、子ロックプレート４３に対向する位置であって、親テーブル１の天板１１の裏面の長手方向に所定のピッチで配される複数個の親ロック穴４５を有する親ロックプレート４１と、操作棒３２の後部側に立設する変形縦板３１の上端面に載置される浮動球４２とから構成される。子ロック穴４６の位置は、引手３３を操作しない状態、すなわち操作棒３２の後退位置において、変形縦板３１のスロープ３１１の最上部に載置された浮動球４２が嵌る位置である。また、第１後方横部材８ａ及び第２後方横部材８ｂ間で且つ子ロックプレート４３の下方には、第１後方横部材８ａ及び第２後方横部材８ｂに差し渡しで一対のガイド板４４が浮動球４２の径よりやや大きめの寸法離間して設置される。これにより、変形縦板３１のスロープ３１１に載置された浮動球４２の位置が安定する。図６及び図７で示すロック状態において、引手３３が所定ストローク分引かれると、浮動球４２は変形縦板３１の前進、すなわち、スロープ３１１の前進により下降する。そして、浮動球４２がスロープの最下段に位置すると、浮動球４２は子ロックプレート４３の子ロック穴４６から頭が出ないようになっている。親ロックプレート４１に形成される親ロック穴４５は、親テーブル１と子テーブル２の位置関係を定めるものであるため、小さなピッチで多数付設すれば、子テーブル２の伸長長さを種々決定できる。
【００２２】
次に、伸縮テーブル１０の使用方法について説明する。図１の伸縮位置（収納状態）にある伸縮テーブル１０は、親ロックプレート４１と子ロックプレート４３が、図９に示すような位置関係にある。すなわち、親ロックプレート４１の最後尾の親ロック穴ａと子ロックプレート４３が上下方向において一致している。更に操作棒３２が後退状態にあり、変形縦板３１のスロープ３１１の最上部に位置する浮動球４２は、子ロック穴４６と親ロック穴ａの双方に嵌合している（図６）。従って、親テーブル１と子テーブル２はロックされた状態であって、不意の外力が作用しても子テーブル２が親テーブル１から飛び出すことはない。
【００２３】
この状態から、子テーブル２を引き出すには、引手３３を所定のストローク分手前（前方側）に引く。本例の場合、所定のストロークは前方桟部材２３ａの空間８１の幅で決定している。このため、操作をする者は引手３３をストローク分を気にすることなく、引手３３が部材に当たるまで引けばよい。引手３３の引張りで、操作棒３２が前進し、変形縦板３１のスロープ３１１の最上部に位置する浮動球４２は、最下部に移動（下降）して、子ロック穴４６から頭がでない状態となり、親ロックプレート４１と子ロックプレート４３の嵌合状態が解除される（図８）。この状態において、親テーブル１と子テーブル２間の動きを拘束するものはなく、更に引手３３を子テーブル２ごと前方に引けば、子テーブル２を親テーブル１から容易に引き出すことができる。
【００２４】
親テーブル１から子テーブル２を、例えば子テーブル２の長さの１/４程度出す場合、操作をする者は、その位置近傍で、おおよの当たりを付けて引手３３を離す。すると、操作棒３２は後退して、浮動球４２は変形縦板３１のスロープ３１１の最上部にくる。この場合、浮動球４２が親ロックプレート４１の親ロック穴ｂに嵌合するとは限らず、親ロックプレート４１の平板部分に当たるが、そのまま引手３３を前後方向に動かし浮動球４２が子ロック穴４６と親ロック穴ｂの双方に嵌合するまで微小調整する。親ロックプレート４１の平板部分と浮動球４２が当接して相対移動しても、浮動球４２は球部材であり、且つ転動するため摩擦抵抗は小さい。浮動球４２が子ロック穴４６と親ロック穴ｂの双方に嵌合すれば、子テーブル２は、子テーブル２の長さの１/４程度突出した状態で親テーブル１に固定される。
【００２５】
子テーブル２を使用最大伸長位置にする場合、操作をする者は、引手３３に手を掛けて子テーブル２共々、前方側に引き出す。子テーブル２が親テーブル１から抜けないように配置されたストッパー部材、本例ではガイド溝１５とガイド溝１５に係合する突起部が当接するまで引き出し、その後、前記同様に引手３３を離す。すると、浮動球４２が親ロックプレート４１の親ロック穴ｂに嵌合するか、又は親ロックプレート４１の平板部分に当たり、親ロックプレート４１の平板部分に当たった場合、浮動球４２が子ロック穴４６と親ロック穴ｂの双方に嵌合するまで微小移動させる。浮動球４２が子ロック穴４６と親ロック穴ｄの双方に嵌合すれば、子テーブル２は、使用最大伸長状態で親テーブル１に固定される（図２、５及び１０）。
【００２６】
本第１の実施の形態例の伸縮テーブル１０によれば、親テーブル１と子テーブル２を簡易な操作で任意の位置においてロックすることができる。また、収納位置でロックすれば、子テーブルを引き出す際の思わぬ事故も回避できる。また、伸長位置でロックすれば、不意の衝撃などにより子テーブルが飛び出すことはなく安全である。
【００２７】
本発明の第２の実施の形態における伸縮テーブルを図１３〜図１６を参照して説明する。図１３は本実施の形態における伸縮テーブルの浮動体がロック位置にある状態を示す図、図１４は図１３の一部を破断して示す図、図１５は浮動体がロック解除位置にある状態を示す図、図１６は本例の伸縮テーブルの引手ハンドルの操作を説明する図である。
【００２８】
第２の実施の形態の伸縮テーブルにおいて、第１の実施の形態例の伸縮テーブルと同一構成要素には同一符号を付して、その説明を省略し異なる点について、主に説明する。すなわち、本例の伸縮テーブル１０ａにおいて、伸縮テーブル１０と異なる点は、操作手段と係合手段である。操作手段３ａは、子テーブル２に対して回転自在に配設されるものであって、子テーブル２の前部側に設置される引手ハンドル３３ａと、子テーブル２の後部側に設置されるカム部材３１ａと、引手ハンドル３３ａとカム部材３１ａを接続する操作棒３２である。また、係合手段４ａが、子ロックプレート４３と、親ロックプレートと、操作棒３２の後部側に付設されるカム部材３１ａの上端面に載置され、バネ部材４２１により、常時下方へ付勢される円筒状の浮動体４２ａとを備えるものである。
【００２９】
伸縮テーブル１０ａにおいて、親テーブル１と子テーブル２をロックするには、引手ハンドル３３ａを回転させ、カム部材３１ａを回転させカム部材３１ａの上端にある浮動体４２ａをバネ力に抗して押し上げる。これにより、浮動体４２ａは、子ロック穴４６及び親ロック穴４５の双方に嵌合する。親テーブル１と子テーブル２のロックを解除するには、引手ハンドル３３ａを更に回転させる。これにより、浮動体４２ａは下降し、浮動体４２ａの頭が子ロック穴４６より下方になり、子ロック穴４６と親ロック穴４５の嵌合が解除される。
【００３０】
本第２の実施の形態例の伸縮テーブル１０ａによれば、第１の実施の形態例の伸縮テーブル１０と同様の効果を奏する。
【図面の簡単な説明】
【００３１】
【図１】本実施の形態における伸縮テーブルの縮小状態における斜視図である。
【図２】図１の伸縮テーブルの伸長状態における斜視図である。
【図３】図１を裏から見た斜視図である。
【図４】図３において引手を前進させた状態の図である。
【図５】伸長状態の伸縮テーブルを裏から見た図である。
【図６】浮動球がロック位置にある状態を示す図である。
【図７】図６の一部を破断して示す図である。
【図８】浮動球がロック解除位置にある状態を示す図である。
【図９】縮小状態にある親ロックプレートと子ロックプレートの位置関係を示す図である。
【図１０】使用最大伸長状態にある親ロックプレートと子ロックプレートの位置関係を示す図である。
【図１１】浮動球がロック解除位置にある状態の断面図である。
【図１２】浮動球がロック位置にある状態の断面図である。
【図１３】本実施の形態における伸縮テーブルの浮動体がロック位置にある状態を示す図である。
【図１４】図１３の一部を破断して示す図である。
【図１５】浮動体がロック解除位置にある状態を示す図である。
【図１６】本例の伸縮テーブルの引手ハンドルの操作を説明する図である。
【符号の説明】
【００３２】
１      親テーブル
２      子テーブル
３      操作手段
４      係合手段
８ａ    第１後方横部材
８ｂ    第２後方横部材
１０    伸縮テーブル
１１    親天板
１２    ４つの親脚部
２１    子天板
２２    子脚部
２３ａ〜２３ｃ    補強用の桟部材
３１    変形縦板
３２    操作棒
３３    引手
４１    親ロックプレート
４２    浮動球
４３    子ロックプレート
４５    親ロック穴
４６    子ロック穴
１０    伸縮テーブル
【図１】
2006346361.tif 000003
【図２】
2006346361.tif 000004
【図３】
2006346361.tif 000005
【図４】
2006346361.tif 000006
【図５】
2006346361.tif 000007
【図６】
2006346361.tif 000008
【図７】
2006346361.tif 000009
【図８】
2006346361.tif 000010
【図９】
2006346361.tif 000011
【図１０】
2006346361.tif 000012
【図１１】
2006346361.tif 000013
【図１２】
2006346361.tif 000014
【図１３】
2006346361.tif 000015
【図１４】
2006346361.tif 000016
【図１５】
2006346361.tif 000017
【図１６】
2006346361.tif 000018